(57)【要約】【課題】  シャワーホースの収納構造において、長いシャワーホースをキャビネットの内部でコンパクトに収め、しかも引き出し及び収納を円滑に行えるようにする。【解決手段】シャワーヘッド３４が接続されたシャワーホース３２をカウンター２０の下部でキャビネット１０の内部に収納し、必要に応じてシャワーヘッド３４をシャワーホース３２と共にカウンター２０から引き出して湯水を吐水するシャワーホース３２の収納構造において、前記キャビネット１０には支持部材４０を取り付け、この支持部材４０は前記シャワーホース３２が挿通する引掛孔４４，４４ａ，４４ｂが横方向に互いに間隔を設けて複数個穿設され、各引掛孔４４，４４ａ，４４ｂにシャワーホース３２を順に挿通させることで、シャワーホース３２をキャビネット１０の内部で撓ませた。【選択図】  図２
2006348603.tif 000002
【特許請求の範囲】
【請求項１】
シャワーヘッドが接続されたシャワーホースをカウンターの下部でキャビネットの内部に収納し、必要に応じてシャワーヘッドをシャワーホースと共にカウンターから引き出して湯水を吐水するシャワーホースの収納構造において、前記キャビネットには支持部材を取り付け、この支持部材は前記シャワーホースが挿通する引掛孔が横方向に互いに間隔を設けて複数個穿設され、各引掛孔にシャワーホースを順に挿通させることで、シャワーホースをキャビネットの内部で撓ませたことを特徴とするシャワーホースの収納構造。
【請求項２】
前記シャワーホースには錘が装着されていることを特徴とする請求項１記載のシャワーホースの収納構造。
【発明の詳細な説明】
【技術分野】
【０００１】
この発明は、洗面化粧台又は流し台等で、シャワーヘッドが接続されるシャワーホースの収納構造に関するものである。
【背景技術】
【０００２】
従来、洗面化粧台又は流し台等のカウンターに取り付けられた水栓が、シャワーヘッドをシャワーホースと共に引き出して使用するものである場合、水栓本体とシャワーヘッドとを接続するシャワーホースは、カウンターの下部に形成されたキャビネット内部の空間に落とし込まれ、略Ｕ字状に撓ませて収納させているが、キャビネットの内部空間には洗面化粧台等で使用する様々な物品が収納されているため狭く、水栓の使用時の作業性を良好とするためシャワーホースを長くするほど、キャビネットの内部で他の物品にシャワーホースが接触してしまい、シャワーホースの収納及び引き出しをスムーズに行うことができないという問題があった。
そこで特許文献１では、キャビネットの内部に突出部材が配設され、水栓本体とシャワーヘッドとを接続するシャワーホースを、不使用時にはこの突出部材の外周に対し巻きつけるようにしておき、使用するときは必要な長さだけ引き出すようにしている。
【０００３】
【特許文献１】特開平９−３２０５７号公報
【発明の開示】
【発明が解決しようとする課題】
【０００４】
前記特許文献１においては、シャワーホースは突出部材に対し重なり合うようにして巻回状に配設されているため、キャビネットの内部の狭いスペースにシャワーホースを収納することができるが、シャワーヘッドの吐出管からの引き出し時に、シャワーホースが重なり合って干渉していることで摩擦抵抗となり、円滑な引き出し及び収納を行うことができなかったり、異常音が発生し不快感を与えるという問題があった。
【０００５】
この発明は、このような従来の技術に存在する問題点に着目してなされたものであり、その課題は、シャワーホースの収納構造において、長いシャワーホースをキャビネットの内部でコンパクトに収め、しかも引き出し及び収納を円滑に行えるようにすることである。
【課題を解決するための手段】
【０００６】
上記課題を達成するため、請求項１記載の発明では、シャワーヘッドが接続されたシャワーホースをカウンターの下部でキャビネットの内部に収納し、必要に応じてシャワーヘッドをシャワーホースと共にカウンターから引き出して湯水を吐水するシャワーホースの収納構造において、前記キャビネットには支持部材を取り付け、この支持部材は前記シャワーホースが挿通する引掛孔が横方向に互いに間隔を設けて複数個穿設され、各引掛孔にシャワーホースを順に挿通させることで、シャワーホースをキャビネットの内部で撓ませたことを特徴とするものである。
【０００７】
請求項２に記載の発明では請求項１記載のシャワーヘッドにおいて、前記シャワーホースには錘が装着されているものである。
【発明の効果】
【０００８】
本発明の請求項１記載の発明では、シャワーホースはキャビネットの内部で支持部材の引掛孔に順に挿通しているので、シャワーホースが重なり合って接触することがないようにカウンターからの引き出し及び収納を円滑に行うことができ、しかもシャワーホースが劣化したり損傷することがない。
【０００９】
請求項２に記載の発明では、シャワーホースには錘が装着されているので、この錘が床板に配置されている状態ではシャワーホースの重みを錘が吸収し、錘より先端側のシャワーホースの引き出し及び収納を軽快に行うことができる。
【発明を実施するための最良の形態】
【００１０】
以下、本発明を具体化した実施例を図に基づいて詳細に説明する。
【実施例１】
【００１１】
図１に示すように、洗面化粧台や流し台（本実施例では洗面化粧台Ａ）は内部を収納空間１１としたキャビネット１０と、このキャビネット１０の上面に配設されたカウンター２０と、このカウンター２０に装着された水栓２２とを備えている。前記カウンター２０には３個の取付孔２１が互いに間隔を設けて穿設され、各取付孔２１に対し水栓本体２３とホルダー２６とからなる水栓２２が取り付けられている。前記水栓本体２３は湯水の温度を調節する温度調節部２４と、温度調節部２４から供給される湯水の流量を調節する流量調節部２５とを備えている。
【００１２】
前記温度調節部２４はその外周面に給水管２７と給湯管２８とが接続され、上部には温度調節ハンドル２９がカウンター２０の上部に露出した状態で設けられ、温度調節ハンドル２９の操作により、給水管２７から供給される水と給湯管２８から供給される湯とを温度調節部２４で混合し、混合された湯水を適宜の温度に調節できるように構成されている。
【００１３】
前記流量調節部２５は、カウンター２０の下部で温度調節部２４と連結管３０により接続され、その外周面には接続部３１が形成されており、この接続部３１にカウンター２０の下部でシャワーホース３２が接続される。流量調節部２５はカウンター２０の上部に露出した流量調節ハンドル３３と連繋し、流量調節ハンドル３３の操作により、温度調節部２４及び連結管３０から供給される湯水をシャワーホース３２に供給するものである。
【００１４】
前記ホルダー２６は中空の略円筒状で、その上部開口部にはシャワーヘッド３４が着脱自在に支持されている。シャワーヘッド３４の基端には前記シャワーホース３２が接続されている。シャワーホース３２は金属製の蛇腹ホース、樹脂製のホース等屈曲可能なもので形成され、ホルダー２６の内部を上下に挿通し、キャビネット１０の内部でカウンター２０と床面Ｂとの間に収納され、その他端は水栓本体２３の接続部３１に接続されている。シャワーホース３２の全長は、洗面化粧台Ａでの利便性を確保するのに十分な長さで、その中途部の垂れ下がった場所には錘３５が装着されている。図２に示すように、この錘３５は金属製の略正方体に形成され、略中央には丸孔３５ａが設けられ、この丸孔３５ａにシャワーホース３２が挿通されている。錘３５は床板Ｂから浮き上がった状態で、シャワーヘッド３４がホルダー２６に支持されており、床板Ｂに配置されている錘受け３６の上面に位置させることで、シャワーヘッド３４のホルダー２６からの引き出し及びホルダー２６への収納を軽快に行うものである。シャワーヘッド３４はシャワーホース３２と共にホルダー２６から取り外すと、適宜の位置で使用することができる。
【００１５】
図２に示すように、前記キャビネット１０の内壁面でホルダー２６の下部には支持部材４０が取り付けられている。この支持部材４０は、キャビネット１０の内壁面に固定される固定部４１と、固定部４１から水平方向に突出する横長の水平部４３とを備えている。前記固定部４１はビス等の固定手段４２によりキャビネット１０の内壁面に固定される。前記水平部４３は横長の板状で、固定部４１側から順に第１引掛孔４４，第２引掛孔４４ａ，第３引掛孔４４ｂが横方向へ３個穿設されており、互いの引掛孔４４，４４ａ，４４ｂの間には、シャワーホース３２が撓んだ状態でその外周面同士が互いに接触しないように、適宜の間隔が設けられている。この引掛孔４４，４４ａ，４４ｂはシャワーホース３２の外径より大径に穿設され、シャワーホース３２を支持部材４０で折り返し向きを変えるように、各引掛孔４４，４４ａ，４４ｂに対し順に挿通させることで、長いシャワーホース３２は重なり合って接触することなく支持部材４０の下部に撓ませることができる。なお、支持部材の引掛孔は、本実施例では３個としているが、その個数は複数個であればいくつでもよい。
【００１６】
前記シャワーホース３２は各引掛孔４４，４４ａ，４４ｂに対し基端側から順に挿通され、錘３５は第１引掛孔４４と第２引掛孔４４ａとの間で撓んでいるシャワーホース３２の垂れ下がった場所である折り返し部３２ａに装着されている。このように錘３５は長いシャワーホース３２の基端側で撓んでいる折り返し部３２ａに装着することで、シャワーホース３２をホルダー２６から引き出す際に、錘３５より基端側のシャワーホース３２の荷重は錘３５で吸収され、第２引掛孔４４ａと第３引掛孔４４ｂとの間で撓んでいるシャワーホース３２を軽い力で引き上げることができる。
【００１７】
上記の構成において、水栓２２の操作でシャワーヘッド３４から湯水を吐水する場合、図２に示すシャワーヘッド３４を手に持ってホルダー２６から上方へ引っ張れば、図３及び図４に示すように、キャビネット１０の内部に収納されているシャワーホース３２がホルダー２６から必要な長さだけ引き出される。この場合、キャビネット１０の内部に収納されているシャワーホース３２は、支持部材４０の各引掛孔４４，４４ａ，４４ｂを挿通して向きを変えているが、各引掛孔４４，４４ａ，４４ｂ同士は何れもシャワーホース３２同士が接触しない程度に間隔が設けられているので、撓んだ状態で垂れ下がっているシャワーホース３２は、互いの外周面同士が接触することがなく、円滑にホルダー２６から引き出すことができる。また、シャワーホース３２の中途部で垂れ下がった折り返し部３２ａには錘３５が装着されており、図３に示すように錘３５が錘受け３６に位置している状態では、錘３５より基端側のシャワーホース３２の荷重が錘３５に加わり、錘３５より先端側のシャワーホース３２を軽い力で引き出すことができる。そして、図４に示すように、シャワーヘッド３４と共にシャワーホース３２を引き上げることで、錘３５が錘受け３６から浮き上がると、シャワーホース３２を引き出すには錘３５の重量が加わり、重い力で引き上がる。次に図１に示す水栓本体２３の各ハンドル２９，３３を操作すれば、温度調節部２４及び流量調節部２５で調節された適温の湯水がシャワーホース３２を通過して、シャワーヘッド３４から供給される。
【００１８】
以上のように、この実施例によるシャワーホースの収納構造においては、シャワーホースはキャビネットの内部で支持部材の引掛孔に順に挿通しているので、シャワーホースが重なり合って接触することがないようにカウンターからの引き出し及び収納を円滑に行うことができ、しかもシャワーホースが劣化したり損傷することがない。
【図面の簡単な説明】
【００１９】
【図１】この発明のシャワーホース収納構造を備えた洗面化粧台の説明図。
【図２】シャワーホースを支持する支持部材の説明図。
【図３】シャワーホースを引き出した状態の説明図。
【図４】シャワーホースを引き出し、錘が錘受けから浮きあがった状態の説明図。
【符号の説明】
【００２０】
１０  ：  キャビネット
２０  ：  カウンター
３２  ：  シャワーホース
３４  ：  シャワーヘッド
３５  ：  錘
４０  ：  支持部材
４４  ：  第１引掛孔
４４ａ：  第２引掛孔
４４ｂ：  第３引掛孔
【図１】
2006348603.tif 000003
【図２】
2006348603.tif 000004
【図３】
2006348603.tif 000005
【図４】
2006348603.tif 000006